(57)【要約】  本発明は、球形弁本体（２４）を含む切替弁（１０）に関し、該切替弁は、第１の位置では第１の弁座（２０）に当接しており、第２の位置では第２の弁座に当接しており、第１の弁座（２０）と第２の弁座（２２）との間の領域（２８）内に開口部が設けられており、該開口部は、切替弁（１０）の出力接続部（３４）で終端する更なるライン（３２）により隣接されており、弁本体（２４）は直径ｄＫｕｇｅｌを有し、最大で直径ｄｅｉｎｓｃｈｒｅｉｂを有する円が、選択された投影面（３８）上への、開口部（３０）の正射影により画定されている投影された領域内で内接することができ、ｄｅｉｎｓｃｈｒｅｉｂ＜ｄＫｕｇｅｌであり、内接円の直径ｄｅｉｎｓｃｈｒｅｉｂが選択された投影面（３８）に従って最大に達した場合、投影された領域は非円形である。
2017535727.tif 000002
【特許請求の範囲】
【請求項１】
切替弁（１０）のハウジング（１８）の内側に、管状ライン（１６）により互いに接続されている第１の入力接続部（１２）と第２の入力接続部（１４）とを有する前記切替弁（１０）であって、
−  前記ライン（１６）内に、前記第１の入力接続部（１２）と関連している第１の弁座（２０）が配置されており、
−  前記ライン（１６）内に、前記第２の入力接続部（１４）と関連している第２の弁座（２２）が配置されており、
−  前記第１弁座（２０）と前記第２の弁座（２２）との間に、前記ライン（１６）内で移動することができる弁本体（２４）が配置されており、前記弁本体（２４）は、第１の位置では前記第１の弁座（２０）において前記ライン（１６）を閉鎖し、第２の位置では前記第２の弁座（２２）において前記ライン（１６）を閉鎖するようになっており、
−  前記第１の弁座（２０）と前記第２の弁座（２２）との間の領域（２８）内の前記ライン（１６）の壁（２６）に、前記切替弁（１０）の出力接続部（３４）で終端する付加的ライン（３２）により隣接されている開口部（３０）が設けられており、
−  前記弁本体（２４）は、直径ｄＫｕｇｅｌを有する球形であり、
−  選択された投影面（３８）上への、前記開口部（３０）の正射影により画定されている投影された面（４０）内で、最大で直径ｄｅｉｎｓｃｈｒｅｉｂを有する円が内接することができ、ｄｅｉｎｓｃｈｒｅｉｂ＜ｄＫｕｇｅｌであり、
−  内接し得る前記円の前記直径ｄｅｉｎｓｃｈｒｅｉｂが前記選択された投影面（３８）に従って最大である場合、前記投影された面（４０）は円くない、
切替弁（１０）。
【請求項２】
前記第１の弁座（２０）と前記第２の弁座（２２）とは前記ライン（１６）内で互いに一直線上に配置されている、請求項１に記載の切替弁（１０）。
【請求項３】
前記第１の弁座（２０）と前記第２の弁座（２２）とは、前記弁本体（２４）の前記直径ｄＫｕｇｅｌの二倍より広い間隔ｄｄｉｓｔで、互いに離れて配置されている、請求項１又は２に記載の切替弁（１０）。
【請求項４】
前記間隔ｄｄｉｓｔは、前記弁本体（２４）の前記直径ｄＫｕｇｅｌの三倍より広い、請求項３に記載の切替弁（１０）。
【請求項５】
前記投影された面（４０）の表面コンテンツは前記直径ｄＫｕｇｅｌを有する前記円形面（４２）の前記表面コンテンツより大きい、請求項１乃至４のいずれか一項に記載の切替弁（１０）。
【請求項６】
前記投影された面（４０）は非連接である、請求項１乃至５のいずれか一項に記載の切替弁（１０）。
【請求項７】
前記ライン（１６）と前記付加的ライン（３２）とを有する前記ハウジング（１８）はＴ形管であり、前記開口部（１８）は弾性的に拡張可能である、請求項１乃至６のいずれか一項に記載の切替弁（１０）。
【請求項８】
前記ハウジングは弾性的に曲げ可能であり、前記投影された面（４０）内で内接し得る前記最大円の前記直径ｄｅｉｎｓｃｈｒｅｉｂは、前記ハウジング（１８）の曲げの間、前記弁本体（２４）の前記直径ｄＫｕｇｅｌより大きくなる、請求項７に記載の切替弁（１０）。
【請求項９】
前記開口部に少なくとも部分的に架橋するウェブ（４４、４６、４８、５０）が存在する、請求項１乃至８のいずれか一項に記載の切替弁（１０）。
【発明の詳細な説明】
【技術分野】
【０００１】
本発明は切替弁に関する。
【０００２】
切替弁の様々な実施形態が更に記載される。
【発明の概要】
【発明が解決しようとする課題】
【０００３】
本発明の目的は、小外形寸法で、既に低圧力損失を有する切替弁を提供することである。
【課題を解決するための手段】
【０００４】
切替弁のハウジングの内側に、管状ラインにより互いに接続されている第１の入力接続部と第２の入力接続部とを有する切替弁が記載されており、ライン内に、第１の入力接続部と関連している第１の弁座が配置されており、ライン内に、第２の入力接続部と関連している第２の弁座が配置されており、第１弁座と第２の弁座との間に、ライン内で移動することができる弁本体が配置されており、該弁本体は、第１の位置では第１の弁座においてラインを閉鎖し、第２の位置では第２の弁座においてラインを閉鎖するようになっており、第１の弁座と第２の弁座との間の領域内のラインの壁に、切替弁の出力接続部で終端する付加的ラインにより隣接されている開口部が設けられており、弁本体は、直径ｄＫｕｇｅｌを有する球形であり、選択された投影面上への、開口部の正射影により画定されている投影された面（ｐｒｏｊｅｃｔｅｄ  ｆａｃｅ）内で、最大で直径ｄｅｉｎｓｃｈｒｅｉｂを有する円が内接することができ、ｄｅｉｎｓｃｈｒｅｉｂ＜ｄＫｕｇｅｌであり、内接し得る円の直径ｄｅｉｎｓｃｈｒｅｉｂが、選択された投影面に従って最大である場合、投影された面は円くない。管状ラインは、例えば単純な管であってもよい。管状ラインは、第１の入力接続部と第２の入力接続部との間に、流体を方向付ける接続をもたらす。記載されている切替弁では、この接続は、一般に、即ち少なくとも、弁本体により遮断される、切替弁の二つの画定された切替え位置にある。管の横断面は円形であってもよい。第１の弁座と第１の入力接続部との関係は、例えば、第１の弁座が第１の入力接続部に空間的に近接して配置されていることを意味すると理解されてもよい。第１の弁座の閉鎖は、第１の入力接続部の閉鎖と同一視され得る可能性がある。同様に、第２の弁座と第２の入力接続部との関係は、例えば、第２の弁座が第２の入力接続部に空間的に近接して配置されていることを意味すると理解されてもよい。第２の弁座の閉鎖は、第２の入力接続部の閉鎖と同一視され得る可能性がある。ライン内で、弁本体は、第１の入力接続部上の第１の弁座と第２の入力接続部上の第２の弁座との間で、前後に移動し得る可能性がある。弁部材による第１の弁座の閉鎖は、切替弁の第１の画定された切替え位置に対応する可能性がある。弁本体による第２の弁座の閉鎖は、切替弁の第２の画定された切替え位置に対応する可能性がある。管状ラインの壁は管の壁であってもよく、管の壁は、同時に、ハウジングの外側シースを形成している。付加的ラインにより隣接されている、第１の弁座と第２の弁座との間の領域内の開口部は、例えば穴部により又は管状ラインの壁を穿孔するような別の方法で、作り出されていてもよい。例えば、円形管の壁を貫通する円形穴部では、円形管の壁の湾曲面にある開口部は長円を形成する。切替弁は、出力接続部に対する開口部の特定の形状の結果として、非常に低い圧力損失と関連している並列動作を可能にしてもよい。並列動作中、両入力接続部は、同じ又は少なくとも略同じ、出力接続部への入力圧力と接続されていてもよく、又それらを供給してもよい。並列動作中、弁本体は、第１の弁座と第２の弁座との間の未画定の中間状態に置かれていてもよい。この中間状態では、弁���体は開口部を完全には覆わない可能性があり、開口部の記載されている特定の形状の結果として、切替弁内の特に低い圧力損失も達成され得る。
【０００５】
正射影を用いて、選択された投影面上への点の投影は、点とそれの像との間の接続線が投影面と共に直角を形成するような方法で実施される。該像は、投影面内の全ての点から、該点からの最短間隔を有する。球形弁本体の正射影は、選択された投影面に関わらず、常に弁本体の直径ｄＫｕｇｅｌを有する円である。開口部の投影即ち投影された面がその最大表面コンテンツ（ｓｕｒｆａｃｅ  ｃｏｎｔｅｎｔ）を有する平面が、投影面として選択される。内接し得る最大円の直径も又最大である。これは、例えば、付加的ラインが管状ラインから垂直に分岐している場合、その面法線が付加的ラインと軸方向に平行に配向されている平面である。投影面は、次いで、付加的ライン、詳細には付加的ラインと管状ラインとの交差点における付加的ラインの配向により、少なくとも大まかに決定され得る。この平面に投影された面内で、最大で直径ｄｅｉｎｓｃｈｒｅｉｂを有する円が内接することができ、ｄｅｉｎｓｃｈｒｅｉｂが球形弁本体の直径ｄＫｕｇｅｌより小さい場合、切替弁の弁本体は、第１の弁座と第２の弁座との間の管状ライン内に確実に保持され得る。同時に、投影された面が円くない場合、管状ラインの壁にある開口部は特に大きく、それにも関わらず、弁本体を管状ライン内に保持するのに適している。このようにして、切替弁の内部で起こる圧力損失は、開口部の領域内の大流動横断面により相殺され得る。同時に、ライン及び下向き方向の付加的ラインの横断面により実質的に制限されているハウジングの外のり寸法は小さい。用語「円い」は円形であると理解されてもよい。用語「円くない」は「非円形」であると理解されてもよい。円又は円形面が、円又は円形面の中心から、円又は円形面の半径より小さい間隔を有する全ての点の量と見なされてもよい。用語「円」は、本例では、このように用語「円形面」と同義的に用いられている可能性がある。面が、縁部により画定されている面であると理解されてもよい。面の縁部は、面を巡って延在している道筋／道であると理解されてもよい。面内で内接し得る最大円は、それが内接する面内に完全に位置する縁部を有する。面を取り巻く道筋は、このように、内接円の縁部を完全に取り巻いている。投影された面は連接（ｃｏｈｅｒｅｎｔ）していてもよいか又は非連接（ｎｏｎ−ｃｏｈｅｒｅｎｔ）であってもよい。面が互いに分離された複数の部分面を含む場合、それは非連接であると見なされてもよい。換言すれば、非連接面の縁部は、互いに分離された道筋を含む。非連接面内で内接し得る円が必然的に該面の縁部により取り巻かれていなければならず、内接し得る円形面が内接し得る円と同一視される。
【０００６】
更に、第１の弁座と第２の弁座とがライン内で互いに一直線上に配置されているように設けられていてもよい。このようにして、弁本体は、管状ラインの内部で、第１の弁座と第２の弁座との間で、前後に、特に容易に移動することができ、その結果、第１の入力接続部と第２の入力接続部との間に存在する小圧力差で、結果として得られる切替弁が、既に、その画定された切替え状態の間で変遷することができる。
【０００７】
第１の弁座と第２の弁座とが、弁本体の直径ｄＫｕｇｅｌの二倍広い間隔ｄｄｉｓｔを有して、互いに離れて配置されているように設けられていてもよい。詳細には、間隔ｄｄｉｓｔが弁本体の直径ｄＫｕｇｅｌの三倍広いように設けられていてもよい。このようにして、切替弁の両方の画定された切替え状態にある弁本体は、その他のライン及び出力接続部への開口部が配置されている、管状ラインの領域の外へ移動してしまっていてもよい。従って、いずれの場合にも解除される入力接続部と出力接続部との間の流動横断面は、弁本体により制限されず／影響されず、その結果、切替弁の内部の圧力損失は小さい。
【０００８】
投影された面の表面コンテンツが、直径ｄＫｕｇｅｌを有する円形面の表面コンテンツより大きいように設けられていてもよい。投影された面の表面コンテンツは、ラインの湾曲壁にある開口部の表面コンテンツより小さいので、切替弁の流動横断面は特に大きく、圧力損失はハウジングの小寸法でやはり特に小さい。
【０００９】
又、投影された面が非連接であるように設けられていてもよい。面内の任意の二つの点が、完全に面内に置かれている道筋上で互いに接続され得る場合、面が連接していると見なされてもよい。明らかに、これは又、互いに分離されている複数の部分面を、投影された面が含むことを意味している可能性がある。このようにして、投影された面内で内接し得る最大円は、投影された面の表面コンテンツが実質的に縮小することなく、縮小され得る。非連接の投影された面が、例えば、管状ラインの壁に複数の相互に分離した開口部を設けることにより作り出されていてもよい。又、開口部に完全に架橋すると共に、開口部を、互いに分離された二つの部分面に分割するウェブを有することが可能である。互いに分離された部分面はそれ自体円い可能性がある。しかし、個々の部分面同士により形成されている投影された面が円くないことが重要である。
【００１０】
又、ラインと付加的ラインとを有してＴ形管であるハウジングが設けられていてもよい。更に、開口部が弾性的に拡張されることが可能であるように設けられていてもよい。このように、開口部は、弁本体を受容するために、一時的に弾性的に拡張され得る。ハウジングは、例えば、少なくとも開口部の領域において、エラストマー材料から製造されていてもよい。該製造は、例えば、当業者にそれ自体既知の（射出）成形作業工程を用いて実施されてもよい。ラインに隣接している付加的ラインの寸法は、組立て中の弁本体が付加的ライン内で自由に移動することができるように定寸されていてもよい。弁本体は、例えば、組立力の付与により、開口部を弾性的に変形させてもよく、詳細には弾性的に拡張させてもよい。このようにして、弁本体は、第１の弁座と第２の弁座との間の領域内へ導入されてもよい。開口部の弾性的変形の結果として、投影された面内で内接し得る球体は、弾性的変形の継続期間の間に拡大され得る。開口部の弾性的変形に必要な組立力は、切替弁の動作中に起こり且つ第１の弁座と第２の弁座との間で弁本体を移動させる力が、開口部を拡張させるのに十分でないように定寸されていてもよい。これは、適切な弾性／強度を備えたエラストマー材料を選択することにより達成され得る。
【００１１】
詳細には、ハウジングが弾性的に曲げ可能であるように設けられていてもよく、投影された面内で内接し得る最大円の直径ｄｅｉｎｓｃｈｒｅｉｂが、ハウジングの曲げの間に弁本体の直径ｄＫｕｇｅｌより大きくなるように与えられていてもよい。ハウジングの曲げの結果として、ハウジング内に配置されている管状ラインは全体として直接曲げられることが可能であり、その結果、管壁に配置されている開口部の形状がやはり変化する。このようにして、投影された面内で内接し得る球体の直径も又、ハウジングの弾性的変形の継続期間の間に拡大されることが可能であり、その結果、弁本体が開口部を通して簡単な方法で、第１の弁座と第２の弁座との間のライン内へ導入され得る。ハウジングの弾性／強度は、本例では、切替弁の動作中のハウジングが、生じる力により曲げられないような方法で選択されてもよい。弁本体に作用している組立力による開口部の拡張とハウジングの曲げとは、切替弁の組立て中に協働し得る。
【００１２】
又、開口部に少なくとも部分的に架橋するウェブが設けられていてもよい。開口部に少なくとも部分的に架橋するウェブの設備の結果として、投影された面内で内接し得る最大円の直径は短縮され得る。ウェブは、例えば、付加的ラインを介して供給されてもよく／取り付けられてもよく、ラインの壁に、詳細には開口部の領域内に、固定されてもよい。例えば、ウェブは、開口部の領域内のアンダーカット上に、弾性クランプを使用して取付け可能であってもよく、組み立てられたウェブを有さない開口部は、付加的ラインを通してライン内に弁本体を配置するのに十分に大きい。ウェブは、並列動作中の開口部の閉塞又は閉鎖に対抗するために、弁本体が開口部内へ「導入され」ないようにする可能性がある。
【００１３】
本発明は、ここで、添付図面を参照して且つ好適な実施形態を参照して、例として説明される。
【図面の簡単な説明】
【００１４】
【図１】切替弁の上面図である。
【図２】切替弁の側面断面図である。
【図３】内接円を有する投影された面及び弁本体の投影の図である。
【図４ａ】内接円を有する付加的な投影された面の図である。
【図４ｂ】内接円を有する付加的な投影された面の図である。
【図５ａ】内接円を有する付加的な投影された面の図である。
【図５ｂ】付加的な投影された面の図である。
【図６ａ】付加的な投影された面の図である。
【図６ｂ】内接円を有する付加的な投影された面の図である。
【図７】内接円を有する付加的な投影された面の図である。
【発明を実施するための形態】
【００１５】
図面の以下の説明では、同一参照番号は同一の又は類似した構成要素を指す。
【００１６】
図１は、切替弁１０の上面図である。詳細には、ハウジング１８の異なる端部に配置されている第１の入力接続部１２及び第２の入力接続部１４を見ることができる。ハウジング１８は、第１の入力接続部１２と第２の入力接続部１４との間に位置する領域２８を有する。開口部３０が領域２８内に配置されている。領域３０内に、開口部３０に完全に架橋しているウェブ４４を見ることができる。ウェブ４４は、開口部３０を、互いに分離されている二つの部分面に分割している。更に、弁本体２４が開口部３０を通して部分的に認められる。ウェブ４４は、開口部３０を縮小するために、開口部３０を通した弁本体２４の組立て後に取付け可能であってもよい。弁本体２４は、図２に関連して以下により詳細に記載されるハウジング１８の内側に、移動可能に配置されている。
【００１７】
開口部３０は、図１に示されている上面図に、第１の長円直径ｄＡ５２と第２の長円直径ｄＢ５４とを有する長円の形状を有し、開口部３０により形成されている長円は、ウェブ４４により、同じ大きさの二つの半片に分割されている。長円の二つの半片はウェブ４４により互いに分離されているので、図１に認められる開口部３０は相応に非連接である。図１において選択されている上面図は、正射影あると見なされてもよいか、又は正射影であってもよい。投影面は、本例では、該頁の平面に配置されている。図１に認められる開口部３０は、相応に、該頁の平面に投影されている開口部３０の面と同一視され得る。図１において選択されている図は、「上方」からの切替弁１０の出力接続部３４を示し、その結果、出力接続部３４から、長円開口部３０を取り巻く同心円のみが認められる。同心円として確認され得る出力接続部３４と長円開口部３０との間に、ハウジング１８と関連している可能性がある蓋様面を見ることができる。ハウジング１８が弾性的に変形されることが可能である場合、少なくとも開口部の領域内で、これら蓋様面は、開口部３０を通して弁本体を押圧するために弁部材２４に作用する組立力により、一時的に弾性的に変形されることが可能である。ハウジング１８が全体として曲げ可能である場合、開口部を一時的に拡大させるために、弁本体の組立てのためにラインを弾性的に曲げることがやはり又は付加的に可能である。ハウジング１８は、この目的のために、少なくとも部分的に、適切な弾性／強度を備えたエラストマー材料から製造されていてもよい。弁本体２４の寸法が開口部３０にどのように関連しているかによって、ウェブは随意に省略されることが可能である。ウェブ４４は、ハウジング１８内での弁本体２４の移動を容易にするために、弁本体２４のためのガイドを含んでいてもよい。図１では、更に、線の形の切断面５６を見ることができる。該切断面は、このように、頁の平面に対して垂直である。
【００１８】
図２は、切替弁の側面断面図である。図２は、詳細には、切断面５６における側面断面図を示す。切替弁１０のハウジング１８の内側に、弁本体２４が管状ライン１６内に配置されている。管状ライン１６の横断面は、詳細には円形であってもよい。弁本体２４は、第１の弁座２０と第２の弁座２２との間に移動可能に配置されている。第１の弁座２０は第１の入力接続部１２と関連している。第２の弁座２２は第２の入力接続部１４と関連している。該関連は、詳細には空間的近接を必要とする可能性がある。切替弁１０は、領域２８内でライン１６から付加的ライン３２により分岐している出力接続部３４を更に含む。付加的ライン３２とライン１６との間の移行部において、開口部３０に完全に架橋している随意のウェブ４４が配置されている。図２に示されている切替弁１０は、二つの画定された切替え位置を有する。切替弁１０の第１の切替え位置では、弁本体２４は第１の弁座と当接しており、その結果、第２の入力接続部１４は、流体を方向付けるように出力接続部３４に接続されており、第１の入力接続部１２は第２の入力接続部１４及び出力接続部３４に対して封止されている。切替弁１０の第２の画定された切替え状態は、第２の弁座２２に対する弁本体２４の当接を特徴とし、その結果、第１の入力接続部１２は、流体を方向付けるように出力接続部３４に接続されており、第２の入力接続部１４は、第１の入力接続部１２及び出力接続部３４に対して封止されている。弁本体２４は、詳細には、直径ｄＫｕｇｅｌを有する球形であってもよい。弁本体２４の直径ｄＫｕｇｅｌは、第１の弁座２０と第２の弁座２２との間での弁本体２４の容易な可動性を確実にするために、ライン１６の直径より若干小さくてもよい。切替弁１０の好適な組立て方向に応じて、ライン１６の内面上に、弁本体２４のために、図示されておらず、且つ例えば、切替弁１０の第１の画定された切替え位置と切替弁１０の第２の画定された切替え位置との間での移行中、第１の弁座２０と第２の弁座２２との間での弁本体２４の低摩擦回動を可能にする、ガイドが設けられていてもよい。ウェブ４４が、対応するガイドの構成要素であるように設けられていてもよい。第１の弁座２０と第２の弁座２２との間の間隔は、詳細には、弁本体２４による、切替弁１０の両方の画定された切替え位置における、付加的ライン３２の開口領域即ち開口部３０の部分的な覆いを防止するために、少なくとも弁本体２４の直径の２倍大きくてもよい。図１及び図２の実施形態において投影された面内で内接し得る円を最大にする投影面３８が、図２の頁の平面に対して垂直であり、図１の頁の平面に平行である。
【００１９】
図３は、内接円を有する投影された面と弁本体の投影とを示す。図３に示されている投影された面４０が、例えば長円の形であってもよい。直径ｄｅｉｎｓｃｈｒｅｉｂを有する内接円３６が、投影された面４０内で内接し得る。図３に示されている内接円３６は最大直径ｄｅｉｎｓｃｈｒｅｉｂを有する。比較のために図示されていると共に、弁本体２４の正射影に対応する直径ｄＫｕｇｅｌを有する円形面４２が、内接円３６が円形面４２より小さい直径を有することを示す。弁本体２４の正射影が投影された面４０の範囲内に配置され得ないので、これは、最終的に、弁本体２４が開口部３０を通り抜けないことを意味する。投影された面４０の表面コンテンツ及び内接し得る円３６の直径を最大限にするために、投影された面４０を作り出すために開口部３０が直交して投影される投影面３８として、例えば図１及び図２に示されている実施形態では、図１の頁の平面を選択することが可能である。
【００２０】
図４ａ、図４ｂ、図５ａ、図５ｂ、図６ａ、図６ｂ及び図７は、最大直径の、結果として得られる内接円を有する又は有さない付加的な投影された面を示す。図４ａは投影された面４０を示し、ウェブ４６、４８及び５０が、投影された面４０の側縁部から突出して、投影された面４０内へ部分的に入っており、このようにして、内接し得る最大円３６の直径を短縮している。ウェブ４６、４８及び５０は、例えば、開口部３０の縁部からのスタッドの形で、即ちライン１６の壁２６から始まり、開口部３０に少なくとも部分的に架橋していてもよい。ウェブ４６、４８及び５０の配置は、例えば、開口部３０の縁部を巡って均一に実施されてもよい。ウェブ４６、４８及び５０は、例えば、弁本体２４がライン１６内に配置された後に組み立てられてもよく、ウェブ４６、４８、５０を組み立てることによってのみ、内接し得る円３６の直径は弁本体２４の直径より小さくなる。
【００２１】
図４ｂは、図１及び図２に基づく実施形態において随意に設けられているのと同様に、投影された面４０に完全に架橋するウェブ４４と、内接し得る、結果として得られる円３６とを有する別の投影された面を示す。ウェブ４４は、投影された面４０を、ウェブ４４により互いに分離されている第１の部分面５８と第２の部分面６０とに分割している。内接し得る、結果として得られる最大円３６は、完全に二つの部分面５８、６０のうちの一つの中に、本例では例として第１の部分面５８内に、相応に配置されている。投影された面４０は、ウェブ４４により分離されている二つの部分面を含むので、それは非連接である。投影された面４０を画定している縁部は、本例では、互いに分離されており且つ包囲されており且つ各部分面５８、６０を取り巻いて延在している道筋／縁部／道を含む。第１の部分面５８と第２の部分面６０とは特別な類似性、同一形状を有する同一表面コンテンツ、を有するので、完全を期すために、ここで、同一直径を有する円が第２の部分面６０内で内接し得ることに言及しておきたい。
【００２２】
図５ａは、図４ｂと類似した、投影された面４０を示す。図４ｂと同様に、図５ａに示されている投影された面内で、投影された面４０を分割しているウェブ４４も又提供されている。形成されている第１の部分面５８と形成されている第２の部分面６０とは、共に、円に類似した面を形成しており、ウェブ４４により覆われている該円の部分は欠損しており、その結果、投影された面４０は完全な円形面を示さない。従って、又、図５ａに示されている投影された面４０は円くないと見なされる可能性がある。
【００２３】
図５ｂは、円くないと見なされる可能性がある別の投影された面４０を示す。図５ｂに示されている投影された面４０は、第１の部分面５８と、第２の部分面６０と、第３の部分面６４とを含む。部分面５８、６０、６４の各々はそれ自体円形である。しかし、部分面５８、６０、６４により形成される投影された面４０は、円くないと見なされる可能性がある。本例では内接し得る、結果として得られる最大円は、本例では、投影された面４０を共に形成する部分面５８、６０、６４の最大直径に相当する直径を有する。
【００２４】
図６ａは、図５ｂと同様に、円形部分面５８、６０を含む投影された面４０を示す。しかし、形成される投影された面は、円いと見なされることを目的としていない。そのような投影された面４０を含む切替弁では、二つの入力接続部に同じ入力圧力を有する弁本体が、出力接続部へ通じる、壁にある二つの開口部間の停止装置まで来ることが可能である。従って、特に低い圧力損失を有する切替弁の並列動作が可能であり、両入力接続部は共に出力接続部と接続されている。完全を期すために、低圧力損失での並列動作のための弁本体の対応する配置が、他の投影された面４０を用いても又可能であることに言及しておきたい。
【００２５】
図６ｂは、非連接の投影された面４０の別の例を示す。該投影された面４０は、円形の第１の部分面５８と、長円形である円くない第２の部分面６０とを含む。図６ｂに示されている例では、内接し得る最大円３６は、第２の部分面６０内に引き込まれている。しかし、選択された寸法の結果として、内接し得る最大円３６は第１の部分面５８に対応しており、或いは又その場所で引き込まれることが可能であると考えられる。
【００２６】
図７は、別の投影された面４０を示す。該投影された面４０は、ウェブ構造体６２により、個々に図示されていない多数の部分面に分割されている。ウェブ構造体６２は、図７に示されている例では、格子構造体である。内接し得る、結果として得られる最大円３６は、ウェブ構造体６２により画定されている部分面のうちの一つの中に引き込まれている。
【００２７】
上述の記載において開示されている本発明の特徴は、図面において且つ特許請求の範囲において、個々に且つ任意の組合せでの両方で、本発明の実施のために重要である可能性がある。
【符号の説明】
【００２８】
１０  切替弁
１２  第１の入力接続部
１４  第２の入力接続部
１６  ライン
１８  ハウジング
２０  第１の弁座
２２  第２の弁座
２４  弁本体
２６  壁
２８  領域
３０  開口部
３２  付加的ライン
３４  出力接続部
３６  内接円
３８  投影面
４０  投影された面
４２  円形面
４４、４６、４８、５０  ウェブ
５２  第１の長円直径ｄＡ
５４  第２の長円直径ｄＢ
５６  切断面
５８  第１の部分面
６０  第２の部分面
６２  ウェブ構造体
６４  第３の部分面
【図１】
2017535727.tif 000003
【図２】
2017535727.tif 000004
【図３】
2017535727.tif 000005
【図４ａ）】
2017535727.tif 000006
【図４ｂ）】
2017535727.tif 000007
【図５ａ）】
2017535727.tif 000008
【図５ｂ）】
2017535727.tif 000009
【図６ａ）】
2017535727.tif 000010
【図６ｂ）】
2017535727.tif 000011
【図７】
2017535727.tif 000012
【国際調査報告】
2017535727.tif 000013
2017535727.tif 000014
2017535727.tif 000015
2017535727.tif 000016
2017535727.tif 000017
2017535727.tif 000018